(57)【要約】【課題】子供の位置を迅速に確認させること。【解決手段】１つの態様において、携帯電子機器（例えば、携帯電話１）は、第１の機器又は第２の機器の少なくとも一方との近距離通信を行う無線通信部と、前記第１の機器との前記近距離通信が不能である場合には、利用者に対する報知を行うコントローラとを有する。例えば、携帯電話１は、通信ユニット６等を制御することによって、近距離通信可能エリア内にある他の機器を探索し、探索の結果、近距離通信可能エリア内に他の機器を検出できた場合には、その旨を利用者に報知する。【選択図】図１
2013258608.tif 000002
【特許請求の範囲】
【請求項１】
第１の機器又は第２の機器の少なくとも一方との近距離通信を行う通信部と、
前記第１の機器との前記近距離通信が不能である場合には、利用者に対する報知を行うコントローラと
を有する携帯電子機器。
【請求項２】
前記コントローラは、前記第１の機器との前記近距離通信が不能な状態から可能な状態に復帰した場合には、利用者に対する報知を行う請求項１に記載の携帯電子機器。
【請求項３】
前記コントローラは、前記第１の機器との前記近距離通信が不能である場合に、前記第２の機器に対して、前記第１の機器との前記近距離通信が可能な状態であるか否かの問合せを送信する請求項１又は２に記載の携帯電子機器。
【請求項４】
前記コントローラは、前記第２の機器から前記問合せを受信した場合には、前記第２の機器に対して、前記第１の機器との前記近距離通信が可能な状態であるか否かの応答を送信する請求項１から３のいずれか一項に記載の携帯電子機器。
【請求項５】
前記コントローラは、前記第１の機器との前記近距離通信が不能である場合に、前記第１の機器に対して、位置情報の送信要求を送信する請求項１から４のいずれか一項に記載の携帯電子機器。
【請求項６】
前記コントローラは、メッセージ、音又は画像の少なくとも１つを用いて前記報知を行う請求項１から５のいずれか一項に記載の携帯電子機器。
【請求項７】
通信部を有する電子機器によって実行される位置確認方法であって、
前記通信部により、第１の機器又は第２の機器の少なくとも一方との近距離通信を行うステップと、
前記第１の機器との前記近距離通信が不能な状態である場合に、利用者に対する報知を行うステップと
を含む位置確認方法。
【請求項８】
通信部を有する電子機器に、
前記通信部により、第１の機器又は第２の機器の少なくとも一方との近距離通信を行うステップと、
前記第１の機器との前記近距離通信が不能な状態である場合に、利用者に対する報知を行うステップと
を実行させる位置確認プログラム。
【請求項９】
第１の機器と、第２の機器と、第３の機器と、基地局とを含む位置確認システムであって、
前記第１の機器は、
前記第２の機器又は前記第３の機器の少なくとも一方との近距離通信を行い、
前記第３の機器との前記近距離通信が不能である場合に、前記第２の機器に対して、前記近距離通信又は前記基地局を介した通信により前記第３の機器との前記近距離通信が可能な状態であるか否かの問合せを送信し、
前記第２の機器から、前記第３の機器との前記近距離通信が可能であるか否かの問合せを受信した場合に、前記第２の機器に対して、前記近距離通信又は前記基地局を介した通信により前記第３の機器との前記近距離通信が可能な状態であるか否かの応答を送信し、
前記第２の機器は、
前記第３の機器との前記近距離通信が不能である場合に、前記第１の機器に対して、前記近距離通信又は前記基地局を介した通信により前記第３の機器との前記近距離通信が可能な状態であるか否かの問合せを送信し、
前記第１の機器から、前記第３の機器との前記近距離通信が可能であるか否かの問合せを受信した場合に、前記第１の機器に対して、前記近距離通信又は前記基地局を介した通信により前記第３の機器との前記近距離通信が可能な状態であるか否かの応答を送信する
位置確認システム。
【発明の詳細な説明】
【技術分野】
【０００１】
本出願は、携帯電子機器、位置確認方法、位置確認プログラム及び位置確認システムに関する。
【背景技術】
【０００２】
近年、携帯電話やスマートフォンなどの携帯電子機器には、自機器の位置情報を取得する機能を備えるものが多数存在する。また、子供の安全性確保の観点から、例えば、親側からの要求に応じて、子供の現在位置を提供するサービスも浸透しつつある（特許文献１参照）。
【０００３】
特許文献１には、位置情報サービスセンターが、子供が所有する端末に搭載されたＧＰＳ受信機で特定された現在位置情報を受信し、親が所有する携帯電話からの問い合わせに応じて、子供の現在位置情報を応答するシステムについての開示がなされている。
【先行技術文献】
【特許文献】
【０００４】
【特許文献１】特開２００６−１７１９７０号公報
【発明の概要】
【発明が解決しようとする課題】
【０００５】
ところで、雑踏の中で子供とはぐれてしまった場合、子供を探し出すことは、親にとって困難を極める。子供の現在位置を提供するサービスを利用したとしても、子供の現在位置情報が携帯電話回線などのネットワークを介して送信されるので、ネットワークの状況により、子供の現在位置を迅速に確認できない事態も起こり得る。
【０００６】
上記のことから、利用者に子供の位置を迅速に確認させることができる携帯電子機器、位置確認方法、位置確認プログラム及び位置確認システムに対する必要性がある。
【課題を解決するための手段】
【０００７】
１つの態様に係る携帯電子機器は、第１の機器又は第２の機器の少なくとも一方との近距離通信を行う通信部と、前記第１の機器との前記近距離通信が不能である場合には、利用者に対する報知を行うコントローラとを有する。
【０００８】
１つの態様に係る位置確認方法は、通信部を有する電子機器によって実行される位置確認方法であって、前記通信部により、第１の機器又は第２の機器の少なくとも一方との近距離通信を行うステップと、前記第１の機器との前記近距離通信が不能な状態である場合に、利用者に対する報知を行うステップとを含む。
【０００９】
１つの態様に係る位置確認プログラムは、通信部を有する電子機器に、前記通信部により、第１の機器又は第２の機器の少なくとも一方との近距離通信を行うステップと、前記第１の機器との前記近距離通信が不能な状態である場合に、利用者に対する報知を行うステップとを実行させる。
【００１０】
１つの態様に係る位置確認システムは、第１の機器と、第２の機器と、第３の機器と、基地局とを含む位置情報確認システムであって、前記第１の機器は、前記第２の機器又は前記第３の機器の少なくとも一方との近距離通信を行い、前記第３の機器との前記近距離通信が不能である場合に、前記第２の機器に対して、前記近距離通信又は前記基地局を介した通信により前記第３の機器との前記近距離通信が可能な状態であるか否かの問合せを送信し、前記第２の機器から、前記第３の機器との前記近距離通信が可能であるか否かの問合せを受信した場合に、前記第２の機器に対して、前記近距離通信又は前記基地局を介した通信により前記第３の機器との前記近距離通信が可能な状態であるか否かの応答を送信し、前記第２の機器は、前記第３の機器との前記近距離通信が不能である場合に、前記第１の機器に対して、前記近距離通信又は前記基地局を介した通信により前記第３の機器との前記近距離通信が可能な状態であるか否かの問合せを送信し、前記第１の機器から、前記第３の機器との前記近距離通信が可能であるか否かの問合せを受信した場合に、前記第１の機器に対して、前記近距離通信又は前記基地局を介した通信により前記第３の機器との前記近距離通信が可能な状態であるか否かの応答を送信する。
【図面の簡単な説明】
【００１１】
【図１】図１は、実施形態１に係る携帯電話のブロック図である。
【図２】図２は、実施形態１に係る他の携帯電話のブロック図である。
【図３】図３は、実施形態１に係る処理の概要を示す図である。
【図４】図４は、実施形態１に係る処理の概要を示す図である。
【図５】図５は、実施形態１に係る携帯電話による処理手順の一例を示す図である。
【図６】図６は、携帯電話が近距離通信可能エリア内に検出された場合に対応する画像の一例を示す図である。
【図７】図７は、携帯電話が近距離通信可能エリア内に検出されなかった場合に対応する画像の一例を示す図である。
【図８】図８は、実施形態３に係る携帯電話による処理手順の一例を示す図である。
【図９】図９は、実施形態４に係る携帯電話による処理手順の一例を示す図である。
【図１０】図１０は、実施形態５に係る位置確認システムの処理の概要を示す図である。
【図１１】図１１は、実施形態５に係る位置確認システムの処理の概要を示す図である。
【図１２】図１２は、実施形態５に係るシステムによる処理の流れの一例を示す図である。
【図１３】図１３は、実施形態５に係るシステムによる処理の流れの一例を示す図である。
【図１４】図１４は、実施形態６に係るシステムによる処理の流れの一例を示す図である。
【図１５】図１５は、実施形態６に係るシステムによる処理の流れの一例を示す図である。
【発明を実施するための形態】
【００１２】
本発明を実施するための実施形態を、図面を参照しつつ詳細に説明する。以下では、携帯電子機器の例として、携帯電話について説明する。
【００１３】
（実施形態１）
図１を参照しながら、実施形態１に係る携帯電話１の機能的な構成について説明する。図１は、実施形態１に係る携帯電話のブロック図である。図１に示すように、携帯電話１は、ディスプレイ２と、ボタン３と、照度センサ４と、近接センサ５と、通信ユニット６と、マイク８と、ストレージ９と、コントローラ１０と、スピーカ１１と、カメラ１２と、姿勢検出ユニット１５と、バイブレータ１８と、タッチスクリーン２１とを備える。
【００１４】
ディスプレイ２は、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２は、文字、画像、記号、及び図形等を表示する。
【００１５】
ボタン３は、利用者からの操作入力を受け付ける。ボタン３の数は、単数であっても、複数であってもよい。
【００１６】
照度センサ４は、携帯電話１の周囲光の照度を検出する。照度は、光の強さ、明るさ、又は輝度を示す。照度センサ４は、例えば、ディスプレイ２の輝度の調整に用いられる。
【００１７】
近接センサ５は、近隣の物体の存在を非接触で検出する。近接センサ５は、磁界の変化又は超音波の反射波の帰還時間の変化等に基づいて物体の存在を検出する。近接センサ５は、例えば、ディスプレイ２が顔に近づけられたことを検出する。照度センサ４及び近接センサ５は、一つのセンサとして構成されていてもよい。照度センサ４は、近接センサとして用いられてもよい。
【００１８】
通信ユニット６は、無線により通信する。通信ユニット６によってサポートされる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等がある。ＷＰＡＮには、例えば、ＺｉｇＢｅｅ（登録商標）がある。通信ユニット６は、上述した通信規格の１つ又は複数をサポートしていてもよい。
【００１９】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２０】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２に画面を表示させ、タッチスクリーン２１によって検出されるジェスチャに応じた処理をコントローラ１０に実行させる。制御プログラムは、例えば、ＯＳである。アプリケーション及び制御プログラムは、通信ユニット６による無線通信又は非一過的な記憶媒体を介してストレージ９にインストールされてもよい。
【００２１】
ストレージ９は、例えば、制御プログラム９Ａ、通話アプリケーション９Ｂ、音楽再生アプリケーション９Ｃ、動画再生アプリケーション９Ｄ、及び設定データ９Ｚを記憶する。通話アプリケーション９Ｂは、無線通信による通話のための通話機能を提供する。音楽再生アプリケーション９Ｃは、音楽データから音を再生するための音楽再生機能を提供する。動画再生アプリケーション９Ｄは、動画データから動画及び音を再生するための動画再生機能を提供する。設定データ９Ｚは、携帯電話１Ａの動作に関連する各種の設定及び処理に関する情報を含む。例えば、設定データ９Ｚには、携帯電話１００の個体識別番号など、携帯電話１００を一意に識別することができる識別情報が含まれる。
【００２２】
制御プログラム９Ａは、携帯電話１を稼働させるための各種制御に関する機能を提供する。制御プログラム９Ａは、例えば、通信ユニット６及びマイク８等を制御することによって、通話を実現させる。制御プログラム９Ａは、通信ユニット６等を制御することによって、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等を用いた近距離通信を実現させる。制御プログラム９Ａは、通信ユニット６等を制御することによって、近距離通信可能エリア内にある他の機器の探索を実現させる。制御プログラム９Ａが提供する機能は、通話アプリケーション９Ｂ等の他のプログラムが提供する機能と組み合わせて利用されることがある。
【００２３】
さらに、制御プログラム９Ａには、第１の機器との近距離通信が不能である場合には、利用者に対する報知を行う機能が含まれる。制御プログラム９Ａは、例えば、第１の機器を近距離通信可能エリア内に検出していない場合を、第１の機器との近距離通信が不可能であると判断する。
【００２４】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。コントローラ１０は、携帯電話１の動作を統括的に制御して各種の機能を実現する。
【００２５】
具体的には、コントローラ１０は、ストレージ９に記憶されているデータを必要に応じて参照しつつ、ストレージ９に記憶されているプログラムに含まれる命令を実行する。コントローラ１０は、データ及び命令に応じて機能部を制御し、それによって各種機能を実現する。機能部は、例えば、ディスプレイ２、通信ユニット６、マイク８、スピーカ１１、バイブレータ１８を含むが、これらに限定されない。コントローラ１０は、検出部の検出結果に応じて、制御を変更することがある。検出部は、例えば、ボタン３、照度センサ４、近接センサ５、カメラ１２、姿勢検出ユニット１５、及びタッチスクリーン２１を含むが、これらに限定されない。
【００２６】
コントローラ１０は、例えば、制御プログラム９Ａを実行することにより、通信ユニット６等を制御することによって、近距離通信可能エリア内にある他の機器の探索を実行する。さらに、コントローラ１０は、探索の結果、第１の機器との近距離通信が不能である場合には、利用者に対する報知を行う。
【００２７】
本出願において、コントローラ１０がプログラム（又は、アプリケーション）を起動する場合には、ストレージ９に記憶されているプログラムを新たに読み出してその処理を開始する場合と、既に読み出されているプログラムの処理を新たに開始する場合とが含まれる。本出願において、コントローラ１０がプログラムを実行する場合には、プログラムを起動する場合と、中断中のプログラムを再開する場合と、起動済のプログラムの処理を継続する場合とが含まれる。
【００２８】
図１においてストレージ９が記憶するプログラム及びデータの一部又は全部は、通信ユニット６による無線通信で他の装置からダウンロードされてもよい。図１においてストレージ９が記憶するプログラム及びデータの一部又は全部は、ストレージ９に含まれる読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００２９】
マイク８は、音入力部である。マイク８は、入力される音を電気信号へ変換する。スピーカ１１は、気導方式で音を出力する音出力部である。スピーカ１１は、例えば、ダイナミックスピーカであり、電気信号を変換した音を、耳を携帯電話１に接触させていない人へも伝えることができる。スピーカ１１は、例えば、通話中の音声、音楽コンテンツ又は動画コンテンツなどの音を出力するために用いられる。
【００３０】
カメラ１２は、ディスプレイ２に面している物体を撮影するインカメラである。カメラ１２は、撮影した画像を電気信号へ変換する。携帯電話１は、カメラ１２に加えて、ディスプレイ２の反対側の面に面している物体を撮影するアウトカメラを備えてもよい。
【００３１】
姿勢検出ユニット１５は、携帯電話１の姿勢を検出する。姿勢検出ユニット１５は、姿勢を検出するために、加速度センサ、方位センサ、及びジャイロスコープの少なくとも１つを備える。
【００３２】
バイブレータ１８は、携帯電話１の一部又は全体を振動させる。バイブレータ１８は、振動を発生させるために、例えば、圧電素子、又は偏心モータなどを有する。バイブレータ１８による振動は、音を伝えるためではなく、着信等の各種のイベントを利用者に報知するために用いられる。
【００３３】
タッチスクリーン２１は、タッチスクリーン２１に対する接触を検出する。タッチスクリーン２１は、指、ペン、又はスタイラスペン等による利用者の接触操作を検出するために用いられる。タッチスクリーン２１を用いて検出されるジェスチャは、例えば、タッチ、ロングタッチ、リリース、スワイプ、タップ、ダブルタップ、ロングタップ、ドラッグ、フリック、ピンチイン、及びピンチアウトを含むがこれらに限定されない。タッチスクリーン２１の検出方式は、静電容量方式、抵抗膜方式、表面弾性波方式（又は超音波方式）、赤外線方式、電磁誘導方式、及び荷重検出方式等の任意の方式でよい。
【００３４】
図１に示した携帯電話１の機能的な構成は例であり、本発明の要旨を損なわない範囲において適宜変更してよい。例えば、携帯電話１は、姿勢検出ユニット１５及びタッチスクリーン２１を備えなくてもよい。
【００３５】
図２を参照しながら、実施形態１に係る携帯電話１００の機能的な構成について説明する。図２は、実施形態１に係る他の携帯電話のブロック図である。図２に示すように、携帯電話１００は、通信部１１０と、操作部１２０と、表示部１３０と、音声処理部２００と、記憶部３００と、制御部４００とを備える。
【００３６】
通信部１１０は、無線により通信する。通信ユニット６によってサポートされる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等がある。ＷＰＡＮの通信規格には、例えば、ＺｉｇＢｅｅがある。
【００３７】
例えば、通信部１１０は、アンテナ１１０ａを有する。通信部１１０は、基地局によって割り当てられるチャネルを介し、基地局との間で無線信号回線を確立する。通信部１１０は、基地局を介して、例えば、上述した携帯電話１との間で電話通信及び情報通信を行う。さらに、通信部１１０は、ＧＰＳ衛星からの所定の周波数帯の電波信号を受信する。通信部１１０は、受信した電波信号の復調処理を行って、処理後の信号を制御部４００に送出する。携帯電話１００には、通信部１１０とは別に、ＧＰＳ衛星からの電波信号のみを受信する通信部を設けてもよい。
【００３８】
操作部１２０は、例えば、数字キー、方向キー、決定キー、発信キー等の機能が割り当てられた複数のキーを有する。これらのキーが利用者の操作により入力されると、操作部１２０は、その操作内容に対応する信号を発生させる。発生した信号は、利用者の指示として制御部４００へ入力される。
【００３９】
表示部１３０は、例えば、ディスプレイ又はモニタを有し、制御部４００から供給される映像データに応じた映像や画像データに応じた画像を表示パネルに表示させる。
【００４０】
音声処理部２００は、マイク２１０に入力される音声信号、スピーカ２２０及びレシーバ２３０から出力される音声信号の処理を実行する。
【００４１】
記憶部３００は、制御部４００での処理に利用される各種プログラム及び各種データを記憶する。本実施形態において、記憶部３００には、少なくとも、ＧＰＳ衛星からの電波信号に基づいて位置を測位する処理を実行する測位プログラムと、測位した位置情報を携帯電話１に送信させる処理を実行する送信プログラムとが記憶される。この送信プログラムは、携帯電話１から位置情報の送信要求を受信した場合に、制御部での処理に利用される。
【００４２】
制御部４００は、記憶部３００に記憶されている各種プログラムに基づいて処理を実行する。制御部４００は、例えば、マイクロプロセッサユニットで構成される。制御部４００は、記憶部３００に記憶されるプログラムから命令コードを順次読み込んで、読み込んだ命令コードで指示された手順に従って携帯電話１００に各種の処理を実行させる。
【００４３】
例えば、通信部１１０を介して、携帯電話１から位置情報の送信要求を受けると、制御部４００は、測位プログラムと送信プログラムとを実行して、測位した位置情報を通信部１１０により携帯電話１に送信する。
【００４４】
図３及び図４を参照して、携帯電話１にて実行される処理の概要を説明する。図３及び図４は、実施形態１に係る処理の概要を示す図である。以下では、親が携帯電話１を利用し、子供が携帯電話１００を利用する例を説明する。
【００４５】
図３に示すように、携帯電話１は、通信ユニット６等を制御することによって、近距離通信可能エリア内にある他の機器を探索する。探索の結果、近距離通信可能エリア内に携帯電話１００を検出できた場合に、携帯電話１は、検出できた旨を利用者に報知する。例えば、携帯電話１は、図３に示すように、「お子様は近距離通信可能エリア内にいます。」と記述したメッセージをディスプレイ２に表示する。
【００４６】
図４に示すように、携帯電話１は、通信ユニット６等を制御することによって、近距離通信可能エリア内にある他の機器を探索する。探索の結果、近距離通信可能エリア内に携帯電話１００を検出できなかった場合に、携帯電話１は、検出できなかった旨を利用者に報知する。例えば、携帯電話１は、図４に示すように、「お子様は近距離通信可能エリア内にいません。」と記述したメッセージをディスプレイ２に表示する。
【００４７】
図５を参照して、図３及び図４に対応する処理手順の一例を説明する。図５は、実施形態１に係る携帯電話による処理手順の一例を示す図である。図５に示す処理手順は、コントローラ１０が、ストレージ９に記憶されている制御プログラム９Ａなどを実行することによって実現される。
【００４８】
図５に示すように、コントローラ１０は、ステップＳ１０１として、近距離通信可能エリア内にある他の機器の探索を実行する。続いて、コントローラ１０は、ステップＳ１０２として、近距離通信可能エリア内に携帯電話１００を検出しているかどうかを判定する。
【００４９】
コントローラ１０は、判定の結果、近距離通信可能エリア内に携帯電話１００を検出している場合には（ステップＳ１０２，Ｙｅｓ）、ステップＳ１０３として、携帯電話１００が近距離通信可能エリア内に検出された場合に対応する報知を実行する。例えば、コントローラ１０は、「お子様は近距離通信可能エリア内にいます。」と記述した位置確認メッセージをディスプレイ２に表示する（図３参照）。
【００５０】
コントローラ１０は、判定の結果、近距離通信可能エリア内に携帯電話１００を検出していない場合には（ステップＳ１０２，Ｎｏ）、ステップＳ１０４として、携帯電話１００が近距離通信可能エリア内に検出されなかった場合に対応する報知を実行する。例えば、コントローラ１０は、「お子様は近距離通信可能エリア内にいません。」と記述した位置確認メッセージをディスプレイ２に表示する（図４参照）。
【００５１】
図５に示す処理手順において、コントローラ１０は、例えば、所定のポーリング周期で、近距離通信可能エリア内にある他の機器の探索を実行してもよいし、電力消費に不安がなければ、常に近距離通信可能エリア内にある他の機器の探索を実行してもよい。
【００５２】
実施形態１では、携帯電話１は、少なくとも、近距離通信可能エリア内に携帯電話１００を検出していない場合には、携帯電話１００が近距離通信可能エリア内に検出されなかった場合に対応する報知を実行する。例えば、携帯電話１は、子供が所持する携帯電話１００が近距離通信可能エリア内に存在しない旨の位置確認メッセージ（図４参照）を表示する。このため、実施形態１によれば、親は、少なくとも、子供が近距離通信可能エリア内にいないことを迅速に知ることができる。すなわち、実施形態１によれば、携帯電話１は、利用者に子供の位置を迅速に確認させることができる。
【００５３】
実施形態１では、携帯電話１は、近距離通信可能エリア内に携帯電話１００を検出している場合には、携帯電話１００が近距離通信可能エリア内に検出された場合に対応する報知を実行する。例えば、携帯電話１は、子供が所持する携帯電話１００が近距離通信可能エリア内に存在する旨の位置確認メッセージ（図３参照）を表示する。このため、実施形態１によれば、親は、子供が近距離通信可能エリア内にいることを迅速に知ることができる。すなわち、実施形態１によれば、携帯電話１は、子供が近距離通信可能エリア内にいる場合にも、利用者に子供の位置を迅速に確認させることができる。
【００５４】
例えば、携帯電話１は、近距離通信可能エリア内に携帯電話１００を検出している場合に、近距離通信が可能なエリアの情報に基づいて、子供が所持する携帯電話１００との位置関係の情報を位置確認メッセージ内に含めて表示してもよい。例えば、近距離通信可能エリアが１００メートルである場合、携帯電話１は、親の現在位置を基準とする１００メートル圏内には、子供がいることを位置確認メッセージ内に含めて表示してもよい。同様に、携帯電話１は、近距離通信可能エリア内に携帯電話１００を検出していない場合に、近距離通信可能エリアの情報に基づいて、子供が所持する携帯電話１００との位置関係の情報を位置確認メッセージ内に含めて表示してもよい。例えば、近距離通信可能エリアが１００メートルである場合、携帯電話１は、親の現在位置を基準とする１００メートル圏内には、子供がいないことを位置確認メッセージ内に含めて表示してもよい。
【００５５】
さらに、携帯電話１は、近距離通信可能エリア内に携帯電話１００を検出している場合に、携帯電話１００から受信する電波強度に基づいて、携帯電話１００までの距離を算出して、位置確認メッセージ内に含めて表示してもよい。例えば、携帯電話１は、携帯電話１００から受信する電波強度から、携帯電話１００までの距離が６０メートルと算出すると、親の現在位置を基準とする６０メートル圏内に、子供がいることを位置確認メッセージ内に含めて表示する。
【００５６】
実施形態１において、携帯電話１は、近距離通信可能エリア内に携帯電話１００が存在する場合には、携帯電話１００から発信される電波を受信して、携帯電話１００の識別情報を取得できるものとする。
【００５７】
（実施形態２）
実施形態１では、例えば、携帯電話１００が近距離通信可能エリア内に検出された場合に対応する報知、あるいは携帯電話１００が近距離通信可能エリア内に検出されなかった場合に対応する報知として、位置確認メッセージ（図３及び図４参照）を表示する例を説明した。しかしながら、これには限定されるものではなく、例えば、位置確認メッセージの代わりに、あるいは位置確認メッセージとともに、携帯電話１００が近距離通信可能エリア内に検出された場合及び検出されなかった場合に対応する画像をそれぞれ表示するようにしてもよい。
【００５８】
図６は、携帯電話１００が近距離通信可能エリア内に検出された場合に対応する画像の一例を示す図である。図７は、携帯電話１００が近距離通信可能エリア内に検出されなかった場合に対応する画像の一例を示す図である。図６及び図７に示すように、携帯電話１のディスプレイ２には、例えば、待受画面４０が表示される。待受画面４０には、壁紙４１が表示される。壁紙４１は、フォトスクリーン、バックスクリーン、アイドル画像又は背景画像と呼ばれることもある。携帯電話１は、任意の画像を壁紙４１として用いることができる。携帯電話１は、壁紙４１として表示する画像を利用者が選択できるように構成されてもよい。壁紙４１には、時間及び曜日の情報が重ねて表示される。
【００５９】
さらに、図６及び図７に示すディスプレイ２の上端には、領域４２が設けられる。領域４２には、電源の残量を示す残量マーク４３、通信用の電波の電界強度を示す電波レベルマーク（アンテナピクト）４４、及び位置確認マーク４５が表示される。図６に示す位置確認マーク４５は、携帯電話１００が近距離通信可能エリア内に検出された場合に対応する画像である。図７に示す位置確認マーク４５は、携帯電話１００が近距離通信可能エリア内に検出されなかった場合に対応する画像である。図６及び図７に示す位置確認マーク４５のデザインは例であり、図６及び図７に示す位置確認マーク４５の意味を利用者が理解できる限り、どのようなデザインを採用してもよい。
【００６０】
実施形態２では、待受画面４０に位置確認マーク４５を表示する。このため、例えば、ディスプレイ２の表示領域を位置確認メッセージの表示に利用することなく、利用者に子供の位置を迅速に確認させることができる。
【００６１】
実施形態１で説明した位置確認メッセージ（図３及び図４参照）、実施形態２で説明した位置確認マーク４５（図６及び図７参照）の代わりに、音や音声で、携帯電話１００が近距離通信可能エリア内に検出された場合及び検出されなかった場合に対応する報知を行ってもよい。
【００６２】
（実施形態３）
携帯電話１が、携帯電話１００との近距離通信が不能な状態から可能な状態に復帰した場合には、利用者に対する報知を行うようにしてもよい。
【００６３】
制御プログラム９Ａには、携帯電話１００との近距離通信が不能な状態から可能な状態に復帰した場合（携帯電話１００を近距離通信可能エリア内に再検出した場合）には、利用者に対する報知を行う機能が含まれる。
【００６４】
コントローラ１０は、例えば、制御プログラム９Ａを実行することにより、携帯電話１００との近距離通信が不能な状態から可能な状態に復帰した場合（携帯電話１００を近距離通信可能エリア内に再検出した場合）には、利用者に対する報知を行う。
【００６５】
図８は、実施形態３に係る携帯電話による処理手順の一例を示す図である。図８に示す処理手順は、コントローラ１０が、ストレージ９に記憶されている制御プログラム９Ａなどを実行することによって実現される。
【００６６】
図８に示すように、コントローラ１０は、ステップＳ２０１として、近距離通信可能エリア内にある他の機器の探索を実行する。続いて、コントローラ１０は、ステップＳ２０２として、近距離通信可能エリア内に携帯電話１００を検出しているかどうかを判定する。
【００６７】
コントローラ１０は、判定の結果、近距離通信可能エリア内に携帯電話１００を検出している場合には（ステップＳ２０２，Ｙｅｓ）、ステップＳ２０３として、前回の探索で携帯電話１００を検出していたかどうかを判定する。
【００６８】
コントローラ１０は、判定の結果、前回の探索で携帯電話１００を検出していた場合には（ステップＳ２０３，Ｙｅｓ）、図８に示す処理手順を終了する。一方、コントローラ１０は、判定の結果、前回の探索で携帯電話１００を検出していなかった場合には（ステップＳ２０３，Ｎｏ）、ステップＳ２０４として、携帯電話１００が近距離通信可能エリア内に検出された場合に対応する報知を実行する。例えば、コントローラ１０は、位置確認メッセージ（図３参照）をディスプレイ２に表示したり、位置確認マーク４５（図６参照）をディスプレイ２に表示したりする。
【００６９】
ステップＳ２０２において、コントローラ１０は、判定の結果、近距離通信可能エリア内に携帯電話１００を検出していない場合には（ステップＳ２０２，Ｎｏ）、ステップＳ２０５として、前回の探索で携帯電話１００を検出していたかどうかを判定する。
【００７０】
コントローラ１０は、判定の結果、前回の探索で携帯電話１００を検出していた場合には（ステップＳ２０５，Ｙｅｓ）、ステップＳ２０６として、携帯電話１００が近距離通信可能エリア内に検出されなかった場合に対応する報知を実行する。例えば、コントローラ１０は、位置確認メッセージ（図４参照）をディスプレイ２に表示したり、位置確認マーク４５（図７参照）をディスプレイ２に表示したりする。一方、コントローラ１０は、判定の結果、前回の探索で携帯電話１００を検出していなかった場合には（ステップＳ２０５，Ｎｏ）、図８に示す処理手順を終了する。
【００７１】
実施形態３では、少なくとも、携帯電話１００との近距離通信が不能な状態から可能な状態に復帰した場合には、利用者に対する報知を行う。このため、実施形態３によれば、利用者は、近距離通信可能エリア内に、子供がいることを迅速に確認できる。さらに、実施形態３では、携帯電話１００との近距離通信が可能な状態から不可能な状態となった場合に、利用者に対する報知を行う。このため、実施形態３によれば、利用者は、近距離通信可能エリア内に、子供がいないことを迅速に確認できる。
【００７２】
（実施形態４）
実施形態３において、例えば、所定の条件に応じて、近距離通信可能エリア内の他の機器の探索周期を変更してもよい。
【００７３】
制御プログラム９Ａには、所定の条件に応じて、近距離通信可能エリア内の他の機器の探索周期を変更する機能が含まれる。
【００７４】
コントローラ１０は、例えば、制御プログラム９Ａを実行することにより、所定の条件に応じて、近距離通信可能エリア内の他の機器の探索周期を変更する。
【００７５】
図９は、実施形態４に係る携帯電話による処理手順の一例を示す図である。図９に示す処理手順は、コントローラ１０が、ストレージ９に記憶されている制御プログラム９Ａなどを実行することによって実現される。
【００７６】
図９に示すように、コントローラ１０は、ステップＳ３０１として、近距離通信可能エリア内にある他の機器の探索を実行する。続いて、コントローラ１０は、ステップＳ３０２として、近距離通信可能エリア内に携帯電話１００を検出しているかどうかを判定する。
【００７７】
コントローラ１０は、判定の結果、近距離通信可能エリア内に携帯電話１００を検出している場合には（ステップＳ３０２，Ｙｅｓ）、ステップＳ３０３として、前回の探索で携帯電話１００を検出していたかどうかを判定する。
【００７８】
コントローラ１０は、判定の結果、前回の探索で携帯電話１００を検出していた場合には（ステップＳ３０３，Ｙｅｓ）、図９に示す処理手順を終了する。一方、コントローラ１０は、判定の結果、前回の探索で携帯電話１００を検出していなかった場合には（ステップＳ３０３，Ｎｏ）、ステップＳ３０４として、携帯電話１００が近距離通信可能エリア内に検出された場合に対応する報知を実行する。例えば、コントローラ１０は、位置確認メッセージ（図３参照）をディスプレイ２に表示したり、位置確認マーク４５（図６参照）をディスプレイ２に表示したりする。
【００７９】
続いて、コントローラ１０は、ステップＳ３０５として、近距離通信可能エリア内の他の機器の探索周期を通常に戻す。例えば、コントローラ１０は、探索の周期を、デフォルトで設定されている通常のポーリング周期に戻す。そして、コントローラ１０は、図９に示す処理手順を終了する。
【００８０】
ステップＳ３０２において、コントローラ１０は、判定の結果、近距離通信可能エリア内に携帯電話１００を検出していない場合には（ステップＳ３０２，Ｎｏ）、ステップＳ３０６として、前回の探索で携帯電話１００を検出していたかどうかを判定する。
【００８１】
コントローラ１０は、判定の結果、前回の探索で携帯電話１００を検出していた場合には（ステップＳ３０６，Ｙｅｓ）、ステップＳ３０７として、携帯電話１００が近距離通信可能エリア内に検出されなかった場合に対応する報知を実行する。例えば、コントローラ１０は、位置確認メッセージ（図４参照）をディスプレイ２に表示したり、位置確認マーク４５（図７参照）をディスプレイ２に表示したりする。
【００８２】
続いて、コントローラ１０は、ステップＳ３０８として、近距離通信可能エリア内の他の機器の探索周期を短縮する。例えば、コントローラ１０は、探索の周期を、デフォルトで設定されている通常のポーリング周期よりも、短い周期に変更する。そして、コントローラ１０は、図９に示す処理手順を終了する。
【００８３】
ステップＳ３０６において、コントローラ１０は、判定の結果、前回の探索で携帯電話１００を検出していなかった場合には（ステップＳ３０６，Ｎｏ）、図９に示す処理手順を終了する。
【００８４】
図９に示す処理手順は、図５に示す処理手順にも適用することができる。例えば、コントローラ１０は、距離通信可能エリア内に携帯電話１００を検出していない場合には、探索の周期を短縮し、距離通信可能エリア内に携帯電話１００を検出している場合には、探索の周期を通常に戻す。
【００８５】
実施形態４では、所定の条件に応じて、近距離通信可能エリア内の他の機器の探索周期を変更する。例えば、携帯電話１００との近距離通信が可能な状態から不可能な状態となった場合（携帯電話１００が近距離通信可能エリア内に検出されない場合）に、近距離通信可能エリア内の探索周期を短縮する。このため、仮に、携帯電話１００との近距離通信が不可能な状態から可能な状態となった場合（携帯電話１００が近距離通信可能エリア内に再び検出された場合）に、利用者に、子供の位置を迅速に確認させることができる。
【００８６】
（実施形態５）
例えば、一方の携帯電話が、自己の近距離通信可能エリアに携帯電話１００を検出できない場合に、他方の携帯電話に対して、携帯電話１００を検出しているかどうかを問合せるようにしてもよい。
【００８７】
図１０及び図１１は、実施形態５に係る位置確認システムの処理の概要を示す図である。図１０及び図１１に示すように、実施形態５に係る位置確認システムは、携帯電話１Ａ、携帯電話１Ｂ、携帯電話１００及び基地局５００を含んで構成される。携帯電話１Ａ及び携帯電話１Ｂは、例えば、図１に示す携帯電話１の機能的な構成と同一の構成を有する。
【００８８】
例えば、携帯電話１Ａは、父親が所持し、携帯電話１Ｂは、母親が所持し、携帯電話１００は、子供が所持する。
【００８９】
図１０は、例えば、携帯電話１Ａは、近距離通信可能エリア内に携帯電話１００を検出しておらず、携帯電話１Ｂは、近距離通信可能エリア内に携帯電話１００を検出している場合の処理の概要である。
【００９０】
図１０に示すように、携帯電話１Ａは、自己の近距離通信可能エリア内の探索を実行した結果、携帯電話１００を検出していない場合には、携帯電話１００を近距離通信可能エリア内に検出しているか否かの問合せを携帯電話１Ｂに送信する（ステップＳ１１）。
【００９１】
携帯電話１Ｂは、携帯電話１Ａからの問合せを受信すると、携帯電話１Ａに対して、携帯電話１００を近距離通信可能エリア内に検出している旨の応答を送信する（ステップＳ１２）。
【００９２】
携帯電話１Ａは、携帯電話１Ｂからの応答を受信すると、応答に対応する位置確認メッセージをディスプレイ２に表示する。例えば、図１０に示すように、携帯電話１Ａは、「お子様はパートナーの近距離通信可能エリア内にいます。」と記述したメッセージを表示する。
【００９３】
図１１は、例えば、携帯電話１Ａも、携帯電話１Ｂも、近距離通信可能エリア内に携帯電話１００を検出していない場合の処理の概要である。
【００９４】
図１１に示すように、携帯電話１Ａは、自己の近距離通信可能エリア内の探索を実行した結果、携帯電話１００を検出していない場合には、携帯電話１００を近距離通信可能エリア内に検出しているか否かの問合せを携帯電話１Ｂに送信する（ステップＳ２１）。
【００９５】
携帯電話１Ｂは、携帯電話１Ａからの問合せを受信すると、携帯電話１Ａに対して、携帯電話１００を近距離通信可能エリア内に検出していない旨の応答を送信する（ステップＳ２２）。
【００９６】
携帯電話１Ａは、携帯電話１Ｂからの応答を受信すると、応答に対応する位置確認メッセージをディスプレイ２に表示する。例えば、図１１に示すように、携帯電話１Ａは、「お子様はパートナーの近距離通信可能エリア内にもいません。」と記述したメッセージを表示する。続いて、携帯電話１Ａは、携帯電話１００の位置情報の送信要求を送信する（ステップＳ２３）。ステップＳ２３において、携帯電話１Ａから送信された位置情報の送信要求は、例えば、基地局５００を介して、携帯電話１００に受信される。
【００９７】
図１２及び図１３は、実施形態５に係るシステムによる処理の流れの一例を示す図である。
【００９８】
図１２は、図１０に対応する処理の流れを示す。図１２に示すように、携帯電話１Ａは、ステップＳ４０１として、近距離通信可能エリア内にある他の機器の探索を実行する。続いて、携帯電話１Ａは、近距離通信可能エリア内に携帯電話１００を検出しない場合には、ステップＳ４０２として、携帯電話１００を近距離通信可能エリア内に検出しているか否かの問合せを携帯電話１Ｂに送信する。
【００９９】
基地局５００は、ステップＳ４０３として、携帯電話１Ａからの問合せを受信すると、
ステップＳ４０４として、携帯電話１Ａからの問合せを携帯電話１Ｂに転送する。
【０１００】
携帯電話１Ｂは、ステップＳ４０５として、携帯電話１Ａからの問合せを受信すると、ステップＳ４０６として、携帯電話１Ａに対し、携帯電話１００を近距離通信可能エリア内に検出している旨の応答を送信する。
【０１０１】
基地局５００は、ステップＳ４０７として、携帯電話１Ｂからの応答を受信すると、
ステップＳ４０８として、携帯電話１Ｂからの応答を携帯電話１Ａに転送する。
【０１０２】
携帯電話１Ａは、ステップＳ４０９として、携帯電話１Ｂから、携帯電話１００を検出している旨の応答を受信すると、ステップＳ４１０として、携帯電話１Ｂにて携帯電話１００が検出されている場合に対応する報知（例えば、図１０参照）を実行する。
【０１０３】
図１３は、図１１に対応する処理の流れを示す。図１３に示すように、携帯電話１Ａは、ステップＳ５０１として、近距離通信可能エリア内にある他の機器の探索を実行する。続いて、携帯電話１Ａは、近距離通信可能エリア内に携帯電話１００を検出しない場合には、ステップＳ５０２として、携帯電話１００を近距離通信可能エリア内に検出しているか否かの問合せを携帯電話１Ｂに送信する。
【０１０４】
基地局５００は、ステップＳ５０３として、携帯電話１Ａからの問合せを受信すると、
ステップＳ５０４として、携帯電話１Ａからの問合せを携帯電話１Ｂに転送する。
【０１０５】
携帯電話１Ｂは、ステップＳ５０５として、携帯電話１Ａからの問合せを受信すると、ステップＳ５０６として、携帯電話１Ａに対し、携帯電話１００を近距離通信可能エリア内に検出していない旨の応答を送信する。
【０１０６】
基地局５００は、ステップＳ５０７として、携帯電話１Ｂからの応答を受信すると、ステップＳ５０８として、携帯電話１Ｂからの応答を携帯電話１Ａに転送する。
【０１０７】
携帯電話１Ａは、ステップＳ５０９として、携帯電話１Ｂから、携帯電話１００を検出していない旨の応答を受信すると、ステップＳ５１０として、携帯電話１Ｂにて携帯電話１００が検出されていない場合に対応する報知（例えば、図１１参照）を実行する。
【０１０８】
続いて、携帯電話１Ａは、ステップＳ５１１として、携帯電話１００の位置情報の送信要求を送信する。ステップＳ５１１において、携帯電話１Ａから送信された位置情報の送信要求は、例えば、基地局５００を介して、携帯電話１００に受信される。
【０１０９】
実施形態５では、例えば、一方の携帯電話（携帯電話１Ａ）が、自己の近距離通信可能エリアに携帯電話１００を検出できない場合に、他方の携帯電話（携帯電話１Ｂ）に対して、携帯電話１００を検出できているかどうかを問合せ、その応答を受信する。このため、利用者（例えば、父親）は、子供を、自己の近距離通信可能エリア内に検出できていなくても、パートナー（例えば、母親）の近距離通信可能エリア内に検出できていることを迅速に確認できる。
【０１１０】
（実施形態６）
実施形態５において、例えば、携帯電話１Ａと携帯電話１Ｂとが近距離通信可能エリア内にある場合には、基地局５００を介すことなく、近距離通信を用いて、上記の問合せ及び応答を実行してもよい。近距離通信としては、ＩＥＥＥ８０２．１１、Ｂｌｕｅｔｏｏｔｈ（登録商標）、ＺｉｇＢｅｅなどの通信規格を用いた通信を利用できる。
【０１１１】
図１４及び図１５は、実施形態６に係るシステムによる処理の流れの一例を示す図である。
【０１１２】
図１４は、図１２に示す処理において近距離通信を利用する場合の処理の流れを示す。図１４に示すように、携帯電話１Ａは、ステップＳ６０１として、近距離通信可能エリア内にある他の機器の探索を実行する。続いて、携帯電話１Ａは、近距離通信可能エリア内に携帯電話１００を検出しない場合であって、かつ携帯電話１Ｂを検出している場合には、ステップＳ６０２として、近距離通信を用いて、携帯電話１００を近距離通信可能エリア内に検出しているか否かの問合せを携帯電話１Ｂに送信する。
【０１１３】
携帯電話１Ｂは、ステップＳ６０３として、携帯電話１Ａからの問合せを受信すると、ステップＳ６０４として、携帯電話１Ａに対し、近距離通信を用いて、携帯電話１００を近距離通信可能エリア内に検出している旨の応答を返信する。
【０１１４】
携帯電話１Ａは、ステップＳ６０５として、携帯電話１Ｂからの応答を受信すると、ステップＳ６０６として、携帯電話１Ｂにて携帯電話１００が検出されている場合に対応する報知（例えば、図１０参照）を実行する。
【０１１５】
図１５は、図１３に示す処理において近距離通信を利用する場合の処理の流れを示す。図１５に示すように、携帯電話１Ａは、ステップＳ７０１として、近距離通信可能エリア内にある他の機器の探索を実行する。続いて、携帯電話１Ａは、近距離通信可能エリア内に携帯電話１００を検出しない場合であって、かつ携帯電話１Ｂを検出している場合には、ステップＳ７０２として、近距離通信を用いて、携帯電話１００を近距離通信可能エリア内に検出しているか否かの問合せを携帯電話１Ｂに送信する。
【０１１６】
携帯電話１Ｂは、ステップＳ７０３として、携帯電話１Ａからの問合せを受信すると、ステップＳ７０４として、携帯電話１Ａに対し、近距離通信を用いて、携帯電話１００を近距離通信可能エリア内に検出していない旨の応答を返信する。
【０１１７】
携帯電話１Ａは、ステップＳ７０５として、携帯電話１Ｂから、携帯電話１００を検出していない旨の応答を受信すると、ステップＳ７０６として、携帯電話１Ｂにて携帯電話１００が検出されていない場合に対応する報知（例えば、図１１参照）を実行する。
【０１１８】
続いて、携帯電話１Ａは、ステップＳ７０７として、携帯電話１００の位置情報の送信要求を送信する。ステップＳ７０７において、携帯電話１Ａから送信された位置情報の送信要求は、例えば、基地局５００を介して、携帯電話１００に受信される。
【０１１９】
実施形態６では、携帯電話１Ａと携帯電話１Ｂとの間で、携帯電話１００を近距離通信可能エリア内に検出できているか否かの問合せ及び応答を、近距離通信を用いて実行する。このため、実施形態６では、利用者（例えば、父親）の携帯電話にて、子供を近距離通信可能エリア内に検出できていなくても、パートナー（例えば、母親）の近距離通信可能エリア内に検出できていることを、基地局５００を介さない分、実施形態５よりも迅速に確認できる。
【０１２０】
上記の実施形態では、添付の請求項に係る装置の例として、携帯電話について説明したが、添付の請求項に係る装置は、携帯電話に限定されない。添付の請求項に係る装置は、携帯電話以外の携帯電子機器であってもよい。携帯電子機器は、例えば、タブレット、携帯型パソコン、デジタルカメラ、メディアプレイヤ、電子書籍リーダ、ナビゲータ、及びゲーム機を含むが、これらに限定されない。
【０１２１】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【符号の説明】
【０１２２】
１，１Ａ，１Ｂ  携帯電話
２  ディスプレイ
３  ボタン
４  照度センサ
５  近接センサ
６  通信ユニット
８  マイク
９  ストレージ
９Ａ  制御プログラム
９Ｂ  通話アプリケーション
９Ｃ  音楽再生アプリケーション
９Ｄ  動画再生アプリケーション
９Ｚ  設定データ
１０  コントローラ
１１  スピーカ
１２  カメラ
１５  姿勢検出ユニット
１８  バイブレータ
【図１】
2013258608.tif 000003
【図２】
2013258608.tif 000004
【図３】
2013258608.tif 000005
【図４】
2013258608.tif 000006
【図５】
2013258608.tif 000007
【図６】
2013258608.tif 000008
【図７】
2013258608.tif 000009
【図８】
2013258608.tif 000010
【図９】
2013258608.tif 000011
【図１０】
2013258608.tif 000012
【図１１】
2013258608.tif 000013
【図１２】
2013258608.tif 000014
【図１３】
2013258608.tif 000015
【図１４】
2013258608.tif 000016
【図１５】
2013258608.tif 000017